(57)【要約】【課題】  雨水等が器具本体内に浸入しても、器具本体に取付けられた点灯用電気部品に影響が及ばないように工夫した防雨型照明器具を提供する。【解決手段】  壁面２に固定される器具本体３と、この器具本体３の前面に嵌め込んで固定されるグローブ４とでなる防雨型照明器具１において、器具本体３に取付けられた点灯用電気部品８の少なくとも上方を覆う遮水壁９が設けられるとともに、器具本体３の底壁３ｄに水抜き穴３ｅが設けられている。【選択図】  図１
2005158404.tif 000002
【特許請求の範囲】
【請求項１】
壁面に固定される器具本体と、この器具本体の前面に嵌め込んで固定されるグローブとでなる防雨型照明器具において、
上記器具本体に取付けられた点灯用電気部品の少なくとも上方を覆う遮水壁が設けられていることを特徴とする防雨型照明器具。
【請求項２】
上記遮水壁は、器具本体に一体成形されている請求項１記載の防雨型照明器具。
【請求項３】
上記器具本体の底壁に水抜き穴が設けられている請求項１または２記載の防雨型照明器具。
【請求項４】
上記器具本体に、点灯用電気部品を取付け壁よりも浮かせて取付けるための凸部が設けられている請求項１〜３のいずれか１項に記載の防雨型照明器具。
【発明の詳細な説明】
【技術分野】
【０００１】
本発明は、防雨型照明器具に関する。
【背景技術】
【０００２】
従来、壁面に固定される器具本体と、この器具本体の前面に嵌め込んで固定されるグローブ（カバー）とでなる防雨型照明器具がある（例えば、特許文献１参照）。
【０００３】
上記特許文献１では、器具本体にグローブをねじ込みながら固定するものであって、嵌め込み部分のパッキンによって、雨水等が器具本体内に浸入しないようにしている。
【特許文献１】特開２０００−２４３１２８号公報
【発明の開示】
【発明が解決しようとする課題】
【０００４】
しかしながら、器具本体とグローブとの嵌め込み部分には、製造公差や経年変化等によって隙間を生じることがあるので、雨水等が器具本体内に浸入するおそれがあるという問題があった。
【０００５】
本発明は、上記問題を解消するためになされたもので、雨水等が器具本体内に浸入しても、器具本体に取付けられた点灯用電気部品に影響が及ばないように工夫した防雨型照明器具を提供することを課題とするものである。
【課題を解決するための手段】
【０００６】
上記課題を解決するために、本発明は、壁面に固定される器具本体と、この器具本体の前面に嵌め込んで固定されるグローブとでなる防雨型照明器具において、
上記器具本体に取付けられた点灯用電気部品の少なくとも上方を覆う遮水壁が設けられていることを特徴とする防雨型照明器具を提供するものである。
【０００７】
請求項２のように、上記遮水壁は、器具本体に一体成形されている構成とすることが好ましい。
【０００８】
請求項３のように、上記器具本体の底壁に水抜き穴が設けられている構成とすることが好ましい。
【０００９】
請求項４のように、上記器具本体に、点灯用電気部品を取付け壁よりも浮かせて取付けるための凸部が設けられている構成とすることが好ましい。
【発明の効果】
【００１０】
本発明によれば、器具本体に取付けられた点灯用電気部品の少なくとも上方を覆う遮水壁が設けられているから、器具本体内に雨水等が浸入して滴下しても、遮水壁で遮水されて点灯用電気部品に影響を及ぼさなくなる。また、遮水壁によって器具本体が補強されるから、器具本体の強度が増して変形を防止できるとともに、グローブの嵌め込み部の密着度が向上して、雨水等の浸入を未然に防止できるようになる。
【００１１】
請求項２によれば、遮水壁を器具本体に一体成形することにより、安価に製造することができる。
【００１２】
請求項３によれば、器具本体の底壁に水抜き穴を設けることにより、器具本体内に浸入した雨水等を器具本体外に迅速に排出することができる。
【００１３】
請求項４によれば、器具本体の凸部で点灯用電気部品を取付け壁よりも浮かせて取付けることができるので、器具本体内に浸入した雨水等が取付け壁を伝い流れたとしても、点灯用電気部品に影響を及ぼさなくなる。
【発明を実施するための最良の形態】
【００１４】
以下、本発明を実施するための最良の形態について、図面を参照しながら詳細に説明する。
【００１５】
図１に示すように、防雨型照明器具１は、建物等の壁面２に固定される器具本体３と、この器具本体３の前面に嵌め込んで固定されるグローブ（カバー）４とで構成されている。
【００１６】
上記器具本体３は、例えば合成樹脂により前面が開口した横長箱状に成形されて、取付け壁３ａの四周囲に上壁３ｂ、両側壁３ｃ、底壁３ｄがそれぞれ形成されている。
【００１７】
上記グローブ４は、例えば透光性の合成樹脂により後面が開口した横長箱状に成形されて、後端開口縁部４ａが上記器具本体３の前面開口の内側に嵌め込まれて、両側壁３ｃのねじ用穴３ｆをそれぞれ貫通する手操作ボルト５で着脱可能に固定されている。なお、器具本体３とグローブ４の嵌め込み部分にパッキンが設けられていても良い。
【００１８】
上記器具本体３の取付け壁３ａには、蛍光灯７や安定器等の多数の点灯用電気部品８が取付けられている。
【００１９】
上記器具本体３の取付け壁３ａには、点灯用電気部品８の上方を覆う平板状の遮水壁９が設けられている。本例では、遮水壁９は器具本体３の取付け壁３ａに一体成形しているが、別体の遮水壁９を取付け壁３ａに取付けることもできる。
【００２０】
また、上記器具本体３の底壁３ｄには水抜き穴３ｅが形成されている。
【００２１】
上記遮水壁９は、点灯用電気部品８に対して、幅方向と奥行き方向の双方にはみ出す程度の幅長さと奥行き長さとに設定されている。
【００２２】
上記構成であれば、図２に示すように、器具本体３とグローブ４との嵌め込み部分から雨水等１０が器具本体３内に浸入して滴下しても、点灯用電気部品８は遮水壁９で遮水されるようになるから、点灯用電気部品８に影響を及ぼさなくなる。
【００２３】
また、遮水壁９で遮水された雨水等１０は、図２（ａ）に矢印ａで示すように、遮水壁９の両側縁部から底壁３ｄに滴下して、底壁３ｄの水抜き穴３ｅから器具本体３外に迅速に排出されるようになる。
【００２４】
さらに、遮水壁９がリブの作用をして器具本体３が補強されるから、器具本体３の強度が増して変形を防止できるとともに、グローブ４の嵌め込み部の密着度が向上して、雨水等１０の浸入を未然に防止できるようになる。
【００２５】
さらにまた、遮水壁９を器具本体３に合成樹脂等で一体成形することにより、安価に製造することができる。
【００２６】
上記実施形態は、防雨型照明器具１を横長向きに取付けたものであったが、図３に示すように、縦長向きに取付ける場合には、上壁３ｂ側に遮水壁９を設けるとともに、底壁３ｄ側に水抜き穴３ｅを形成すれば良い。
【００２７】
上記実施形態の遮水壁９は平板状であったが、図４（ａ）に示すように、遮水壁９の長辺側の両端部の両側から立ち下がる部分９ａ（右側の立ち下がる部分９ａの図示は省略）を有する逆Ｕ字状の遮水壁９とすれば、点灯用電気部品８の上方と両側方とを覆うことができる。
【００２８】
また、図４（ｂ）に示すように、点灯用電気部品８の四周囲を取り囲むような箱状の遮水壁９とすれば、点灯用電気部品８の上方と両側方と下方とを覆うことができる。
【００２９】
図４（ａ）（ｂ）の実施形態では、縦長向きと横長向きのいずれでも取付け可能であるので有利である。
【００３０】
さらに、図５（ａ）に示すように、平板状の遮水壁９を山形に屈曲させて、雨水等１０が遮水壁９の両側縁部から滴下しやすいようにしても良い。
【００３１】
さらにまた、図５（ｂ）に示すように、上記器具本体３の取付け壁３ａに凸部３ｇを一体成形して、この凸部３ｇに点灯用電気部品８を取付けて、取付け壁３ａよりも浮かせるようにしても良い。本例では、器具本体３の取付け壁３ａに凸部３ｇを一体成形しているが、別体の凸部を取付け壁３ａに取付けることもできる。
【００３２】
この構成であれば、器具本体３内に浸入した雨水等１０が取付け壁３ａを伝い流れたとしても（矢印ｂ参照）、点灯用電気部品８に影響を及ぼさなくなる。この凸部３ｇは、上記各実施形態の遮水壁９のいずれでも組み合わせて用いることができる。
【図面の簡単な説明】
【００３３】
【図１】（ａ）は横長向きに取付けた防雨型照明器具の斜視図、（ｂ）は（ａ）の分解斜視図である。
【図２】（ａ）は図１（ａ）の要部破断斜視図、（ｂ）は防雨型照明器具の雨水等の浸入、排水状態を示す断面図である。
【図３】縦向きに取付けた器具本体の斜視図である。
【図４】（ａ）（ｂ）は遮水壁の変形例を示す器具本体の斜視図である。
【図５】（ａ）は遮水壁の変形例を示す器具本体の斜視図、（ｂ）は点灯用電気部品を浮かす凸部を器具本体に設けた防雨型照明器具の断面図である。
【符号の説明】
【００３４】
１    防雨型照明器具
２    壁面
３    器具本体
３ａ  取付け壁
３ｄ  底壁
３ｅ  水抜き穴
３ｇ  凸部
４    グローブ
８    点灯用電気部品
９    遮水壁
１０  雨水等
【図１】
2005158404.tif 000003
【図２】
2005158404.tif 000004
【図３】
2005158404.tif 000005
【図４】
2005158404.tif 000006
【図５】
2005158404.tif 000007